(57)【要約】【課題】方向指示器が所定の操作をされたときに、画像のスクロール速度を上げることなく、縮尺の小さな地図に切り替えて一定のスクロール速度を保つことにより、スクロール時の画像を読み取り易くする地図表示装置を提供することである。【解決手段】ナビゲーション装置（地図表示装置）１０は、表示中の画像を記憶しておき、操作部１５の方向指示器の操作が所定時間未満の場合、所定速度で画像をスクロールさせ、方向指示器の操作が所定時間以上経過した場合、表示中の地図よりも小さな縮尺の地図に切り替えて前記所定速度で画像をスクロールさせ、方向指示器の操作が終了すると記憶しておいた画像を表示する構成とする。【選択図】      図１
2004302116.tif 000002
【特許請求の範囲】
【請求項１】
画像の移動方向を指示する方向指示器の操作により、表示している画像をスクロールする地図表示装置において、
表示中の画像を記憶しておき、
前記方向指示器の操作が所定時間未満の場合、所定速度で画像をスクロールさせ、
前記方向指示器の操作が所定時間以上経過した場合、表示中の地図よりも小さな縮尺の地図に切り替えて前記所定速度で画像をスクロールさせ、
前記方向指示器の操作が終了すると前記記憶しておいた画像を表示することを特徴とする地図表示装置。
【請求項２】
目的地が設定されている場合であって、前記方向指示器の操作方向が目的地の方向と一致し、且つ所定時間以上操作されると、スクロールすることにより目的地が表示されるような縮尺の地図に切り替えて前記所定速度で画像をスクロールさせることを特徴とする請求項１記載の地図表示装置。
【発明の詳細な説明】
【０００１】
【発明の属する技術分野】
本発明は、画像の移動方向を指示する方向指示器の操作により、表示している画像をスクロールする地図表示装置に関するものである。
【０００２】
【従来の技術】
従来より、地図表示装置、例えばナビゲーション装置においては地図情報等の広い範囲の情報を表示するため、画像を移動するスクロールが採用されている。例えば、表示された地図をスクロールさせて所望する領域の地図を表示させている。
【０００３】
このスクロールは、ジョイスティック等の方向指示器を操作することにより行われる。ジョイスティックを所望の方向に倒すとその方向にスクロールし、所定時間以上倒したままであるとスクロール速度が上がるようになっている。
【０００４】
また特許文献１には、ジョイスティックを少し倒すとその方向にスクロールし、ジョイスティックを大きく倒すとスクロール速度が上がる画像スクロール装置が開示されている。
【０００５】
【特許文献１】
特開平１１−２７２３９７号公報
【０００６】
【発明が解決しようとする課題】
しかしながら、縮尺の大きな地図情報が表示されている場合にスクロール速度を上げて移動させると、画像が読み取りづらく移動した位置を確認することが困難になる。
【０００７】
本発明は、上記の問題点に鑑み、方向指示器が所定の操作をされたときに、画像のスクロール速度を上げることなく、縮尺の小さな地図に切り替えて一定のスクロール速度を保つことにより、スクロール時の画像を読み取り易くする地図表示装置を提供することを目的とする。
【０００８】
【課題を解決するための手段】
上記目的を達成するために本発明は、画像の移動方向を指示する方向指示器の操作により、表示している画像をスクロールする地図表示装置において、表示中の画像を記憶しておき、前記方向指示器の操作が所定時間未満の場合、所定速度で画像をスクロールさせ、前記方向指示器の操作が所定時間以上経過した場合、表示中の地図よりも小さな縮尺の地図に切り替えて前記所定速度で画像をスクロールさせ、前記方向指示器の操作が終了すると前記記憶しておいた画像を表示することを特徴とするものである。
【０００９】
このように、方向指示器が操作され始めた直後は表示中の地図の縮尺のまま指示された方向に画像をスクロールさせ、方向指示器が操作され始めて所定時間経過すると小さな縮尺の地図に切り替えてスクロール速度は変えないでスクロールを継続することにより、スクロール速度を上げた場合と同様の地図の移動距離を実現でき、従来のように方向指示器を操作し続けた場合にスクロール速度が上がって画像を読み取ることができない状況になることなく、視認性のよい快適な地図表示装置となる。
【００１０】
また、小さな縮尺の地図に切り替えてスクロールすることにより、従来のようにスクロール速度を上げる場合と比べて表示の処理量が少なくなるので制御に係る負担を減らすことができる。
【００１１】
また上記の地図表示装置において、目的地が設定されている場合であって、前記方向指示器の操作方向が目的地の方向と一致し、且つ所定時間以上操作されると、スクロールすることにより目的地が表示されるような縮尺の地図に切り替えて前記所定速度で画像をスクロールさせるようにしてもよい。
【００１２】
このように、設定された目的地の方向の方向指示器が操作された場合、方向指示器が操作され始めた直後は表示中の地図の縮尺のまま指示された方向に画像をスクロールさせ、方向指示器が操作され始めて所定時間経過すると目的地を表示可能な小さな縮尺の地図に切り替えてスクロール速度は変えないでスクロールを継続することにより、目的地を表示させることができる。
【００１３】
これにより、表示している地図の縮尺が小さすぎてどの方向指示器を操作しても目的地が表示されないという事態をなくすことができ、ユーザが所望すればいつでも目的地を確認することができる。
【００１４】
【発明の実施の形態】
以下に本発明の地図表示装置の実施形態についてナビゲーション装置を例に図面を参照して説明する。図１は通信により地図情報を取得するナビゲーション装置の構成を示す図、図２は記録媒体より地図情報を読み出すナビゲーション装置の構成を示す図である。
【００１５】
図１のナビゲーション装置１０において、１１はＧＰＳ受信機、速度センサ、及びジャイロ等を用いて現在地、進行方向、速度、及び高度等の情報を得る現在地検出部であり、１２はサーバ装置（不図示）との通信を制御する通信制御部、１３は通信制御部１２に接続され無線通信するためのアンテナである。
【００１６】
なお、サーバ装置はナビゲーション装置１０からの要求により、データベース（不図示）から地図情報を読み出してナビゲーション装置１０へ送信する。ここで、ナビゲーション装置１０とサーバ装置間の通信は無線通信できれば特に限定はなく、例えば、インターネットを介して通信する場合は、自動車電話や携帯電話等の電話網を利用することができる。
【００１７】
１４は地図情報や現在地を表示する液晶ディスプレイ等からなる表示部であり、１５は画像のスクロール方向を指定する８方向キー等の方向指示器や目的地の設定等を行う入力キーからなる操作部、１６は地図情報を記憶する地図情報記憶部、１７はユーザにより任意に登録される情報を記憶する登録情報記憶部、１８は表示中の画像や目的地や走行予定経路等を一時記憶するＲＡＭ、１９はナビゲーション装置１０の動作に必要なプログラムを記憶しているＲＯＭ、２０はＲＯＭ１９のプログラムに基づいてナビゲーション装置１０を制御するマイクロコンピュータ等で構成された制御部である。
【００１８】
この構成により、ナビゲーション装置１０は必要なときに必要な量だけサーバ装置から地図情報を受信し、表示部１４に現在地を表示したり、目的地までの経路案内を行うことができる。
【００１９】
またナビゲーション装置の構成としては、図２に示すように、記録媒体より地図情報を読み出す構成としてもよい。図２のナビゲーション装置２１が図１のナビゲーション装置１０と異なる点は、図１の通信制御部１２、アンテナ１３、地図情報記憶部１６の替わりに記録媒体再生部２２を備えることである。記録媒体再生部２２は地図情報等を記録したＣＤやＤＶＤ等の記録媒体を再生する。
【００２０】
この構成により、ナビゲーション装置２１は必要なときに必要な量だけ記録媒体から地図情報を読み出し、表示部１４に現在地を表示したり、目的地までの経路案内を行うことができる。
【００２１】
また、本発明のナビゲーション装置は図１の構成に記録媒体再生部２２を加えた構成としてもよい。
【００２２】
図３は、画像スクロール時のナビゲーション装置１０の動作を示すフローチャートである。操作部１５の操作により現在地の表示が指示されると、ナビゲーション装置１０は、ステップＳ１０において現在地を取得し、ステップＳ１１へ進んで適切な地図上に現在地を重ねて表示する。ここで、地図の縮尺は予め指定された縮尺を用いたり、前回表示していた縮尺を用いたりすることができる。
【００２３】
次に、ステップＳ１２へ進んで表示中の画像を一時保存する。画像の情報として、現在地や地図の縮尺等の情報を保存すればよい。そして、ステップＳ１２からステップＳ１３へ進んで方向指示器が押下されたか否かを判別する。
【００２４】
ステップＳ１３において方向指示器が押下されていない場合は、ステップＳ１０に戻り、現在地を更新する。一方、ステップＳ１３において方向指示器が押下された場合は、ステップＳ１４へ進んで方向指示器が所定時間以上押下されているか否かを判別する。
【００２５】
ステップＳ１４において方向指示器の押下が所定時間未満の場合、つまり方向指示器を押下し始めた直後の場合、ステップＳ１６へ進んで所定速度で画像をスクロールする。この所定速度はスクロールする画像を読み取ることができる十分遅い速度とする。
【００２６】
一方、ステップＳ１４において方向指示器が所定時間以上継続して押下されている場合、つまり画像がスクロール中である場合、ステップＳ１５へ進んで表示中の地図の縮尺よりも小さな縮尺の地図に切り替え、ステップＳ１６へ進んで所定速度のままスクロールを継続する。なお、既に縮尺の切り替えが行われている場合は切り替えないものとする。
【００２７】
次にステップＳ１６からステップＳ１７へ進んで、方向指示器が離されたか否かを判別する。ステップＳ１７において方向指示器が離されていない場合はステップＳ１４に戻る。一方、ステップＳ１７において方向指示器が離された場合は、ステップＳ１８へ進んで画像のスクロールを終了してステップＳ１２で保存した画像スクロール前の画像の表示に切り替える。その後、ステップＳ１０に戻り、現在地を更新する。
【００２８】
なお、ステップＳ１２の画像の保存は、方向指示器が押下された直後、即ちステップＳ１３とステップＳ１４の間に行うようにしてもよい。
【００２９】
このように、方向指示器が押下され始めた直後は表示中の地図の縮尺のまま指示された方向に画像をスクロールさせ、方向指示器が押下され始めて所定時間経過すると小さな縮尺の地図に切り替えてスクロール速度は変えないでスクロールを継続することにより、スクロール速度を上げた場合と同様の地図の移動距離を実現でき、従来のように方向指示器を押下し続けた場合にスクロール速度が上がって画像を読み取ることができない状況になることなく、視認性のよい快適なナビゲーション装置となる。
【００３０】
また、小さな縮尺の地図に切り替えてスクロールすることにより、従来のようにスクロール速度を上げる場合と比べて表示の処理量が少なくなるので制御部２０の負担を減らすことができる。
【００３１】
なお、表示中の地図の縮尺がスクロール速度に対して十分に読み取れる大きさである場合、又はそれ以上小さな縮尺の地図がない場合は、ステップＳ１５を省略して地図の縮尺は変更しないようにしても問題ない。
【００３２】
図４，５は、目的地が設定された場合の画像スクロール時のナビゲーション装置１０の動作を示すフローチャートである。図３と同様の処理を行うステップには同符号を付して説明する。
【００３３】
ユーザによりステップＳ２０において目的地が設定されると、ステップＳ１０ヘ進んで現在地を取得し、続いてステップＳ２１へ進んで現在地と目的地間の走行予定経路を算出する。そして、ステップＳ２２へ進んで適切な地図上に現在地を重ねて表示するとともに、走行予定経路を他の道路と区別した色で表示する。次にステップＳ１２へ進んで表示中の画像を一時保存する。
【００３４】
ステップＳ１２からステップＳ１３へ進んで方向指示器が押下されたか否かを判別する。ステップＳ１３において方向指示器が押下されていない場合は、ステップＳ２５へ進んで現在地を更新する。一方、ステップＳ１３において方向指示器が押下された場合は、ステップＳ１４へ進んで方向指示器が所定時間以上押下されているか否かを判別する。
【００３５】
ステップＳ１４において方向指示器の押下が所定時間未満の場合、つまり方向指示器を押下し始めた直後の場合、ステップＳ１６へ進んで所定速度で画像をスクロールする。この所定速度はスクロールする画像を読み取ることができる十分遅い速度とする。
【００３６】
一方、ステップＳ１４において方向指示器が所定時間以上継続して押下されている場合、つまり画像がスクロール中である場合、ステップＳ２３へ進んで押下されている方向指示器の方向が現在地から見て目的地の方向と一致しているか否かを判別する。
【００３７】
ステップＳ２３において目的地の方向以外の方向指示器が押下されている場合は、ステップ１５へ進んで表示中の地図の縮尺よりも小さな縮尺の地図に切り替える。
【００３８】
一方、ステップＳ２３において目的地の方向の方向指示器が押下されている場合、ユーザが目的地の位置確認を所望していると判断して、ステップＳ２４へ進んでスクロールしていくことにより目的地が表示されるような小さな縮尺の地図に切り替える。なお、既に縮尺の切り替えが行われている場合は切り替えないものとする。
【００３９】
続いて、ステップＳ２４からステップＳ１６へ進んで所定速度のままスクロールを継続する。次にステップＳ１６からステップＳ１７へ進んで、方向指示器が離されたか否かを判別する。
【００４０】
ステップＳ１７において方向指示器が離されていない場合はステップＳ１４に戻る。一方、ステップＳ１７において方向指示器が離された場合は、ステップＳ１８へ進んで画像のスクロールを終了してステップＳ１２で保存した画像スクロール前の画像の表示に切り替える。その後、ステップＳ２５へ進んで現在地を更新する。
【００４１】
なお、ステップＳ１２の画像の保存は、方向指示器が押下された直後、即ちステップＳ１３とステップＳ１４の間に行うようにしてもよい。
【００４２】
このように、設定された目的地の方向の方向指示器が押下された場合、方向指示器が押下され始めた直後は表示中の地図の縮尺のまま指示された方向に画像をスクロールさせ、方向指示器が押下され始めて所定時間経過すると目的地を表示可能な小さな縮尺の地図に切り替えてスクロール速度は変えないでスクロールを継続することにより、目的地を表示させることができる。
【００４３】
これにより、表示している地図の縮尺が小さすぎてどの方向指示器を押下しても目的地が表示されないという事態をなくすことができ、ユーザが所望すればいつでも目的地を確認することができる。
【００４４】
本発明の地図表示装置は、ポータブル用、車載用のナビゲーション装置をはじめ、携帯電話、ＰＤＡ（携帯情報端末）、パーソナルコンピュータ等に適用することができる。
【００４５】
【発明の効果】
本発明によれば、方向指示器が操作され始めた直後は表示中の地図の縮尺のまま指示された方向に画像をスクロールさせ、方向指示器が操作され始めて所定時間経過すると小さな縮尺の地図に切り替えてスクロール速度は変えないでスクロールを継続することにより、スクロール速度を上げた場合と同様の地図の移動距離を実現でき、従来のように方向指示器を操作し続けた場合にスクロール速度が上がって画像を読み取ることができない状況になることなく、視認性のよい快適な地図表示装置となる。
【００４６】
また本発明によれば、小さな縮尺の地図に切り替えてスクロールすることにより、従来のようにスクロール速度を上げる場合と比べて表示の処理量が少なくなるので制御に係る負担を減らすことができる。
【００４７】
また本発明によれば、設定された目的地の方向の方向指示器が操作された場合、方向指示器が操作され始めた直後は表示中の地図の縮尺のまま指示された方向に画像をスクロールさせ、方向指示器が操作され始めて所定時間経過すると目的地を表示可能な小さな縮尺の地図に切り替えてスクロール速度は変えないでスクロールを継続することにより、目的地を表示させることができるので、表示している地図の縮尺が小さすぎてどの方向指示器を操作しても目的地が表示されないという事態をなくし、ユーザが所望すればいつでも目的地を確認することができる。
【図面の簡単な説明】
【図１】本発明の通信により地図情報を取得するナビゲーション装置の構成を示すブロック図である。
【図２】本発明の記録媒体より地図情報を読み出すナビゲーション装置の構成を示す図である。
【図３】本発明の画像スクロール時のナビゲーション装置の動作を示すフローチャートである。
【図４】本発明の目的地が設定された場合の画像スクロール時のナビゲーション装置の動作を示す第１のフローチャートである。
【図５】本発明の目的地が設定された場合の画像スクロール時のナビゲーション装置の動作を示す第２のフローチャートである。
【符号の説明】
１０    ナビゲーション装置（地図表示装置）
１１        現在地検出部
１２    通信制御部
１３    アンテナ
１４    表示部
１５    操作部
１６    地図情報記憶部
１７    登録情報記憶部
１８    ＲＡＭ
１９    ＲＯＭ
２０    制御部
２２    記録媒体再生部
【図１】
2004302116.tif 000003
【図２】
2004302116.tif 000004
【図３】
2004302116.tif 000005
【図４】
2004302116.tif 000006
【図５】
2004302116.tif 000007